(57)【要約】【課題】  花瓶や他の容器に入れて花を生けることができ、花や茎が損傷せず、花や茎の姿勢が崩れにくく、自動的に水上げされる多機能な花立てを提供することにある。【解決手段】  水を入れることのできる容器内に収容可能なコイルスプリングの花差し具で、コイルスプリング上端に花を差込み可能な差込み口を開口し、コイルスプリングを伸縮により巻き間隔の調節可能なものとし、巻き間隔の隙間から容器内の水が浸入できるようにした。この場合、径の異なるコイルスプリングを二重にすることもできる。花活け装置は、二以上の花差し具を外側から支持可能な内径調節可能リング状支持体を備え、内径を調節することにより支持体内に配置されたコイルスプリングを収束可能とした。支持体を板バネとすることができる。【選択図】図１
2010082194.tif 000002
【特許請求の範囲】
【請求項１】
水を入れることのできる容器内に収容可能な花差し具であり、
前記花差し具がコイルスプリングであり、
前記コイルスプリングの上端に花の茎を差込可能な差込み口が開口され、
前記コイルスプリングは伸縮により巻き間隔を調節可能であり、
巻き間隔の隙間から容器内の水が浸入できるようにしたことを特徴とする花差し具。
【請求項２】
請求項１記載の花差し具において、
花差し具が径の異なるコイルスプリングを二重にしたものであることを特徴とする花差し具。
【請求項３】
請求項１又は請求項２記載の花差し具が二以上と、
二以上の花差し具をその外側から支持可能な支持体を備え、
支持体が内径調節可能リング状であり、
前記支持体の内径を調節により、支持体の内側に配置された二以上のコイルスプリングを収束可能としたことを特徴とする花活け装置。
【請求項４】
請求項３記載の花活け装置において、
支持体が板バネであることを特徴とする花活け装置。
【発明の詳細な説明】
【技術分野】
【０００１】
本願発明はコイルスプリングを利用した花差し具と、その花差し具を使用した花活け装置に関するものである。
【背景技術】
【０００２】
生け花は剣山を使用して生けられたり、花瓶や壷に入れて生けられたりしている。近年は優れた水揚げ機能を備えた剣山（特許文献１）や、生け花の姿勢保持を容易にするための生け花用補助具（特許文献２）、試験管を用いた花差し（特許文献３）などがある。
【０００３】
【特許文献１】特開２００３−３２５２８９号公報
【特許文献２】特開２００７−１１７３９８号公報
【特許文献３】特開２００７−６８８６１号公報
【発明の開示】
【発明が解決しようとする課題】
【０００４】
前記特許文献の発明には次のような難点があった。
（１）特許文献１の剣山は、従来の剣山に比して水揚げ機能は優れているが、花の茎を剣山に刺すものであるため茎が傷み易い。
（２）特許文献２の生け花用補助具の花を入れるためのホルダーは筒状であり、水を供給し易くするためには下端開口部を斜めにカットしたり、下端周縁に小孔をあけたりしなければならず製造が面倒である。
（３）前記特許文献３の花立ては試験管であるため水を自動的に吸い上げることができない。このため、試験管内に吸水しなければならず管理が面倒である。試験管の外周に装飾用の材料（麻幹）を収束する必要があり手間がかかる。
【０００５】
本願発明の解決課題は、従前の剣山や生け花用補助具の前記難点を解決することができ、花瓶や他の容器に入れて花を生けることができ、花や茎が損傷せず、花や茎の姿勢が崩れにくく、自動的に水上げされる多機能な花立てを提供することにある。
【課題を解決するための手段】
【０００６】
本願発明の花差し具は、請求項１記載のように、水を入れることのできる容器内に収容可能な花差し具であり、前記花差し具はコイルスプリングであり、コイルスプリングの上端に花の茎を差込み可能な差込み口が開口され、前記コイルスプリングは伸縮により巻き間隔を調節可能であり、巻き間隔の隙間から容器内の水が浸入できるようにしてある。請求項２記載のように、前記花差し具は、径の異なるコイルスプリングを二重にしたものとすることができる。
【０００７】
本願発明の花活け装置は、請求項３記載のように、前記花差し具が二以上と、二以上の花差し具をその外側から支持可能な支持体を備え、支持体が内径調節可能リング状であり、内径を調節することにより、前記支持体の内側に配置された二以上のコイルスプリングを収束可能としたものである。請求項４記載のように、前記支持体を板バネとすることができる。
【発明の効果】
【０００８】
本願発明の花差し具は次のような効果がある。
（１）水を入れることのできる容器内に収容し、その差込み口から花差し具内に花の茎を投入するだけで、容器に花を生けることができる。
（２）花の茎を剣山に刺す必要がないので茎が損傷せず花が長持ちする。
（３）花入れがコイルスプリングであるため、容器内の水がコイルスプリングの巻き間隔の隙間からコイルスプリングに浸入するので、巻き間隔を調節することにより水の浸入量を調節することができる。
（４）コイルスプリングの巻き径を変えることにより、茎の細い花から太い花まで差し込むことができる。
（５）コイルスプリングの縦長寸法を変えるだけで、茎の長い花でも、短い花でも投入することができ、花を剣山に差した場合のように倒れることがなく安定する。
【０００９】
本願発明の花活け装置は次のような効果がある。
（１）支持材の内径調節により、支持材の内側に配置した二以上の花差し具を収束することにより花差し具が安定し、容器内で倒れにくくなる。
（２）板ばねの支持材の内周面が平面状であるため、支持材を容器内に収容すれば、容器の内径が変形したり凸凹したりしていても、花差し具が支持材の平面状の内周面に沿って真っ直ぐに立ち、生けた花の姿勢が崩れ難い。
（３）多数本の花差し具を支持材で収束したまま移動して他の容器に移し替えることができるので、生けた花をそのままの姿勢で他の容器に移し替え易くなる。また、容器内に生けてある花をそのままの姿勢で容器から取り出して容器内の水の入れ替えを手軽に行うことが出来、入れ替え後に、元の姿勢のまま戻すことできる。
（４）多数本の花差し具が支持材で収束されて形状が安定するため、花差し具を収容する容器として紙コップ、マグカップ、バケツといった身近なものを花瓶の代わりに使用することができ、容器を変えるだけで生け花の雰囲気を変えることもできる。
【発明を実施するための最良の形態】
【００１０】
（実施形態１）
本願発明の花差し具と花活け装置の実施形態の一例を図面に基づいて説明する。図１（ａ）に示す花差し具１は縦長のコイルスプリングであり、図１（ｂ）に示す花活け装置２は多数本の花差し具１とそれらを収束する支持材３で構成される。花差し具１は支持材３で収束された状態で水を収容できる容器４内に収容されている。
【００１１】
花差し具１として使用されるコイルスプリングは細長の空心状であり、上端部に花Ｆを出し入れ可能な差込み口５が開口されている。コイルスプリングは図２（ａ）のように密巻きにすることも、図２（ｂ）のようにまきピッチ（巻き間隔）の広い疎巻きにして、巻き間隔の隙間６からコイルスプリング内に水が浸入し易くなるようにすることもできる。コイルスプリングは上部の差込み口５側を密巻きにして下部のみを疎巻きにするとか、長さ方向いずれかの箇所のみを疎巻きにすることもできる。長さ方向全体を密巻きにしても下端開口部７から内部に水が浸入する。図示した花差し具１は長さ方向全長が均一径であるが、差込み口５側を細くし下端側８を広くして安定性を持せるとか、それとは逆に差込み口５側を下端側８よりも広くして差込み口５内に花を多数本差込めるようにすることもできる。前記差込み口５は花を差込み可能な広さがあればよく、花の種類を考慮して様々なサイズのものを用意しておくことができる。花差し具１の長さは差込む（生ける）花の種類や茎の長さなどに応じて選択することができる。コイルスプリングの材質も金属製、セラミック製、樹脂製など任意の材質にすることができるが、金属製にすると伸縮性に富むためまき間隔を調整し易く、重くなるため容器４内に立てたときに安定性がある。また、銅製にすると殺菌力があるため水も花も長持ちし易くなる。
【００１２】
前記支持材３は二本以上の花差し具１を収束できるものであればよいが、図３に示すような伸縮自在なゼンマイばね状の板ばねであってもよい。この場合は板ばねの伸縮により内径を縮小したり拡大したりすることができる。支持材３の幅は図３に示すものよりも狭いものでも、広いものでもよく、例えば、図１（ｂ）、図４に示すような細い帯状やテープ状のものであってもよい。支持材３には水が浸入可能な孔や溝を設けておくこともできる。
【００１３】
支持材３はその内側に多数本の花差し具１を配置してから内径を縮めることにより花差し具１を収束することも、先に内径を小さくしておき、その支持材３の内側に多数本の花差し具１を配置することもできる。いずれの場合も、花差し具１を収束した支持具３の外周を紐とか金属線などで結束すれば支持具３の内径が保持され、花差し具１は収束されたままとなる。支持具３には図１（ｂ）に示すように模様、図柄といったデザインＤを表示しておくことができる。
【００１４】
支持材３は内径を小さくしてから手で保持して容器４内に入れ、容器４内で手を放すと板ばねの復元力で自動的に内径が拡がって容器４の内周面９（図４）に接触する。この場合、容器４が図４に示すようにその口部１０が外側広がりであっても、支持材３の内周面９は垂直面であるため、支持材３の内側に配置した花差し具１は傾斜することなく垂直に立つ。
【００１５】
容器４には既存、新規の任意のものを使用することができる。図１（ａ）に示す容器４は不透明な筒状の容器、図１（ｂ）に示す容器４は透明なガラス製、樹脂製の金魚鉢などの水槽、図４に示す容器４はマグカップである。その他にも紙製、陶器製といった各種材質製、各種形状の容器４を使用することができる。
【００１６】
本願発明の花差し具１は図２（ａ）に示すように外径の細い花差し具１を大径の花差し具１に差し込んで二重にすることもできる。二重にすることで花差し具１が安定する。この場合、巻き間隔（巻きピッチ）の異なる花差し具１を使用することもできる。コイルスプリングは径の異なるもの、巻きピッチの異なるもの、といった各種形状のものを二重構造にすることができる。
【００１７】
（その他の実施形態）
前述の実施形態は本願発明の一例であり、これらの実施形態に限定されるものではない。本願発明の技術的思想を超えない範囲内で、形状、材質、大きさ、組み合わせ等に変更を加えることができる。
【産業上の利用可能性】
【００１８】
本願発明の花活け装置は演説会や講演会などの舞台に飾られる生け花のみならず、一般家庭や学校、職場などにおいても当然使用することができる。また、生花に限らず造花に使用することができる。
【図面の簡単な説明】
【００１９】
【図１】（ａ）は本願発明の花差し具を使用して花を生けた状態の一例を示す説明図、（ｂ）は花差し具を収束して花を生けた状態の一例を示す説明図。
【図２】（ａ）は本願発明の二重構造の花差し具の一例を示す斜視図、（ｂ）は巻きピッチを疎にしたコイルスプリングの一例を示す説明図。
【図３】本願発明の花差し具と支持体の説明図。
【図４】本願発明の花活け装置を使用して花を生けた場合の他の例を示す斜視図である。
【符号の説明】
【００２０】
１  花差し具
２  花生け装置
３  支持材
４  容器
５  差込み口
６  隙間
７  下端開口部
８  下端側
９  内周面
１０  口部
Ｆ  花
Ｄ  デザイン
【図１】
2010082194.tif 000003
【図２】
2010082194.tif 000004
【図３】
2010082194.tif 000005
【図４】
2010082194.tif 000006